(57)【要約】【課題】  上下の外壁材同士を接続する接続用レールを利用して屋外に設置する棚や吊り具を簡単に取付けることができる。簡単な構造で、建物の外壁に横溝状の立体的なアクセントを与えることができて、外壁の高級感を現出できる。【解決手段】  下の外壁材１の上端と上の外壁材１の下端との間に接続用レール２を介在すると共に該接続用レール２を介して上下の外壁材１を接続する。接続用レール２の中間部に全長にわたって屋外側に開口する凹状部３を形成すると共に該凹状部３の開口の上縁部乃至下縁部の少なくとも一方に引掛け用突片４を一体に突設する。接続用レール２を介して上下の外壁材１を接続した状態で接続用レール１の凹状部３が屋外側に開口する。【選択図】        図１
2009052347.tif 000002
【特許請求の範囲】
【請求項１】
下の外壁材の上端と上の外壁材の下端との間に接続用レールを介在すると共に該接続用レールを介して上下の外壁材を接続するものにおいて、接続用レールの中間部に全長にわたって屋外側に開口する凹状部を形成すると共に該凹状部の開口の上縁部乃至下縁部の少なくとも一方に引掛け用突片を一体に突設し、接続用レールの下部に全長にわたって下の外壁材の上端部の上嵌め込み部に嵌め込まれるレール側下嵌合部を形成すると共に、接続用レールの上部に全長にわたって上の外壁材の下端部の下嵌め込み部に嵌め込まれるレール側上嵌合部を形成し、接続用レールを介して上下の外壁材を接続した状態で接続用レールの凹状部が屋外側に開口していることを特徴とする外壁材の接続構造。
【請求項２】
下の外壁材の上端部の上嵌め込み部が上方に向けて突出した凸となっていると共に、上の外壁材の下端部の下嵌め込み部が上記上嵌め込み部に嵌め込み可能な下方に向けて開口した凹となっていることを特徴とする請求項１記載の外壁材の接続構造。
【発明の詳細な説明】
【技術分野】
【０００１】
本発明は、建物の外壁を構成するための外壁材に関するものである。
【背景技術】
【０００２】
従来から、下の外壁材の上端と上の外壁材の下端との間に長尺の外壁材取付け部材を介在すると共に該外壁材取付け部材を介して上下の外壁材を接続するものが特許文献１により知られている。
【０００３】
ところが、上記従来例にあっては、外壁材取付け部材は上下の外壁材を接続するための機能しかなかったので、屋外に棚を形成したり、あるいは屋外で使用する小物類を吊り下げる吊り具を取付けようとする場合、外壁材の外面に直接棚や吊り具を釘や木ねじで固着していた。このため、外壁材を固着具で傷付け、また、固着具の打設位置から雨水が浸入するという問題があり、更に、外壁に取付ける棚や吊り具の位置を変更しようとする場合、別の位置に棚や吊り具を取付け直す作業が面倒であり、また、取り外した後に、固着具を引き抜いた跡が残り、外観が悪いと共に、この部分から雨水が浸入するという問題があった。
【０００４】
また、上記特許文献１に示された従来例においては、外壁材取付け部材を介して上下の外壁材を接続した状態では、屋外からは上下の外壁材のみが見えて外壁材取付け部材が見えず、このため、外壁が単調な外観となるという問題があった。
【特許文献１】実開平５−４０４７２号公報
【発明の開示】
【発明が解決しようとする課題】
【０００５】
本発明は上記の従来の問題点に鑑みて発明したものであって、上下の外壁材同士を接続する接続用レールを利用して屋外に設置する棚や吊り具を簡単に取付けることができ、また、簡単な構造で、建物の外壁に横溝状の立体的なアクセントを与えることができて、外壁の高級感を現出できる外壁材の接続構造を提供することを課題とするものである。
【課題を解決するための手段】
【０００６】
上記課題を解決するために本発明に係る外壁材の接続構造は、下の外壁材１の上端と上の外壁材１の下端との間に接続用レール２を介在すると共に該接続用レール２を介して上下の外壁材１を接続するものにおいて、接続用レール２の中間部に全長にわたって屋外側に開口する凹状部３を形成すると共に該凹状部３の開口の上縁部乃至下縁部の少なくとも一方に引掛け用突片４を一体に突設し、接続用レール２の下部に全長にわたって下の外壁材１の上端部の上嵌め込み部５に嵌め込まれるレール側下嵌合部６を形成すると共に、接続用レール２の上部に全長にわたって上の外壁材１の下端部の下嵌め込み部７に嵌め込まれるレール側上嵌合部８を形成し、接続用レール２を介して上下の外壁材１を接続した状態で接続用レール１の凹状部３が屋外側に開口していることを特徴とするものである。
【０００７】
このような構成とすることで、接続用レール２を介して上下の外壁材１を接続した状態で接続用レール２の中間部に設けた凹状部３が屋外側に開口することになり、凹状部３の開口の上縁部乃至下縁部の少なくとも一方に突設した引掛け用突片４を利用して、棚板１０や吊り具１１に設けた引掛け部１２を引っ掛けて取付けることができ、これにより、上下の外壁材１を接続するための部材である接続用レール２の長手方向の任意の位置に、棚板１０や吊り具１１を自由に取付けることができて、屋外に設置するプランターなどを棚板１０に載せたり、あるいは、吊り具１１に屋外で使用する箒や、スコップなどの園芸用品や、屋外で使用する照明器具などを吊り下げることができる。また、接続用レール２を介して上下の外壁材１を接続した状態で接続用レール１の凹状部３が屋外側に開口しているので、簡単な構造で、接続用レール２により建物の外壁に横溝状の立体的なアクセントを与えることができて、外壁の高級感を現出できる。
【０００８】
また、下の外壁材１の上端部の上嵌め込み部５が上方に向けて突出した凸となっていると共に、上の外壁材１の下端部の下嵌め込み部７が上記上嵌め込み部５に嵌め込み可能な下方に向けて開口した凹となっていることが好ましい。
【０００９】
このような構成とすることで、外壁材１として、従来から一般に使用されている上端部の上嵌め込み部５が上方に向けて突出した凸となり且つ下端部の下嵌め込み部７が上嵌め込み部５に嵌め込み可能な下方に向けて開口した凹となった外壁材１をそのまま用いて、接続用レール２を新たに追加するのみで、簡単に上下の外壁材１同士を接続する部分に、棚１０や吊り具１１を引っ掛けて取付ける構成とすることができ、また、上下方向において多数の外壁材１を接続して外壁を構成する場合、任意の上下に隣合う外壁材１同士を接続用レール２を介して接続し、他の外壁材１同士は接続用レール２を介することなく、直接上嵌め込み部５に下嵌め込み部７を嵌め込んで接続するという接続構造とすることも可能で、これにより多数の外壁材１を接続して構成する外壁の上下方向の任意の接続部分に接続用レール２を設けて、外壁の任意の高さ位置において棚板１０や吊り具１１を引っ掛けることができ且つ外壁の上下方向の任意の接続位置に接続用レール２により建物の外壁に横溝状の立体的なアクセントを与えることができる。
【発明の効果】
【００１０】
本発明は、上記のように構成したので、上下の外壁材同士を接続する接続用レールを屋外に設置したり、屋外で使用したりするものを載置したり、吊り下げたりするための棚板や吊り具を引っ掛けて取付ける部材として兼用でき、しかも、外壁の一部となる接続用レールの長手方向の任意の位置に棚板や吊り具を引っ掛けて取付けることができるので、従来のように釘や木ねじで取付けるものに比べて、横方向における取付け位置が自由に選択でき、また、位置変更しても釘や木ねじを抜いた跡が残らず、雨水の浸入の恐れがなく、更に、接続用レールの凹状部が屋外側に露出するので、建物の外壁に横溝状の立体的なアクセントを付与できて、上下の外壁材同士を接続用レールで接続するのみで簡単な構成で外壁の高級感を現出できる。
【発明を実施するための最良の形態】
【００１１】
以下、本発明を添付図面に示す実施形態に基いて説明する。
【００１２】
外壁材１は横方向に長いもので、金属サイジング製、あるいはセメント系ものである。
【００１３】
横長の外壁材１の上端部には横方向の全長にわたって上嵌め込み部５が形成してあり、また、下端部には横方向の全長にわたって下嵌め込み部７が形成してある。
【００１４】
上嵌め込み部５は上方に向けて突出した凸となっていると共に、上の外壁材１の下端部の下嵌め込み部７が上記上嵌め込み部５に嵌め込み可能な下方に向けて開口した凹となっている。
【００１５】
添付図面に示す実施形態では金属サイジング製のものの例が示してあり、外壁材１の主体を構成する金属板１ａの上端部を屈曲して上方に向けて突出した凸となった上嵌め込み部５を形成し、更に、該上嵌め込み部５の背面側にＪ字状に屈曲した固定片１３を一体に連出してあり、また、外壁材１の主体を構成する金属板１ａの下端部を屈曲して下方に向けて開口した凹となった下嵌め込み部７を形成している。また、金属板１ａの背面側には発泡合成樹脂、セメント系等の芯材１５が積層一体化してある。
【００１６】
接続用レール２は、横方向に長いもので、該接続用レール２の中間部に長手方向の全長にわたって屋外側に開口する凹状部３が形成してあり、接続用レール２の下部に長手方向の全長にわたってレール側下嵌合部６が形成してあり、更に、接続用レール２の上部に長手方向の全長にわたってレール側上嵌合部８が形成してある。
【００１７】
接続用レール２の下部に設けたレール側下嵌合部６は、上記外壁材１の上端部に設けた上方に向けて凸となった上嵌め込み部５に嵌め込むことができる下方に向けて開口した凹となっている。
【００１８】
また、レール側上嵌合部８は、上記外壁材１の下端部に設けた下方に向けて開口した凹となった下嵌め込み部７に嵌め込むことができる上方に向けて突出した凸となっている。
【００１９】
接続用レール２に設けた屋外側に開口する凹状部３の開口の上縁部乃至下縁部の少なくとも一方に開口縁部の全長にわたって引掛け用突片４を一体に突設してある。添付図面に示す実施形態においては、凹状部３の開口の上縁部から下方に引っ掛け用突片４を一体に突設すると共に下縁部から上方に引っ掛け用突片４を一体に突設している例が示してある。
【００２０】
また、凹状部３の開口の上縁部から上方に開口縁部の全長にわたって上覆い部１６を一体に突設してあり、更に、凹状部３の開口の下縁部から下方に開口縁部の全長にわたって下覆い部１７を一体に突設してある。
【００２１】
上記の構成の接続用レール２を用いて外壁材１を上下方向に接続するには以下のようにして行う。
【００２２】
すなわち、下の外壁材１を外壁下地１８の外面に配置して固定片１３を釘などの固着具により外壁下地１８に固着する。
【００２３】
その後、上記外壁下地１８に固着した下の外壁材１の上端部の上方に向けて凸となった上嵌め込み部５に、接続用レール２の下部に設けた下方に向けて開口したレール側下嵌合部６を嵌め込みむと共に、接続用レール２の下覆い部１７により下の外壁材１の表面の上端部（図の実施形態では凸となった上嵌め込み５の突出基部の表面）を重ねてこの部分を覆う。次に、上の外壁材１の下端部の下方に向けて凹となった下嵌め込み部７を接続用レール２の上部に設けた上方に向けて凸となったレール側上嵌合部８に嵌め込むと共に、接続用レール２の上覆い部１６を上の外壁材１の表面の下端部に重ねてこの部分を覆い、その後、上の外壁材１の上端部の背面側に設けた固定片１３を釘などの固着具により外壁下地１８に固着する。
【００２４】
このようにして接続用レール２を介して上下の外壁材１を上下方向に接続するのであり、このように接続用レール２を介して上下の外壁材１を接続した状態で、接続用レール１の凹状部３の開口部が屋外側に開口し、また、凹状部３の開口部の下縁部及び上縁部に設けた上下の引掛け用突片４、下覆い部１７、上覆い部１６が屋外側に露出することになる。これにより接続用レール２により建物の外壁に横溝状の立体的なアクセントを与えることができて、外壁の高級感を現出できることになる。
【００２５】
また、上記のように上下の外壁材１同士を接続するための接続用レール２の中間に設けた凹状部３が屋外側に開口し、この屋外側に開口した開口部の縁に引掛け用突片４を設けてあるので、この引っ掛け用突片４を利用して、棚板１０や吊り具１１に設けた引掛け部１２を引っ掛けて取付けることができる。
【００２６】
図３には棚板１０を取付けた例が示してある。棚板１０には後端部の上部にＬ状をした引掛け部１２を突設すると共に、後端部の下部に当て部１９を設けたもので、凹状部３の開口部の上縁部に設けた下向きの引掛け用突片４に、棚板１０の引掛け部１２を引掛けると共に、当て部１９を接続用レール２の前面下部又は下の外壁材１の表面の上端部に当接することで、棚板１０を取付けるようになっている。そして、該棚板１０上に屋外に設置する種々の小物、例えば、プランターなどを載置することができる。
【００２７】
また、図４には吊り具１１を取付けた例が示してある。吊り具１１はＪ字状をした吊り具本体部１１ａの後片１１ｂの上端にＬ状をした引掛け部１２を突設すると共に後片１１ｂが当て部１９となったもので、凹状部３の開口部の上縁部に設けた下向きの引掛け用突片４に、吊り具１１の引掛け部１２を引掛けると共に、当て部１９を接続用レール２の前面下部又は下の外壁材１の表面の上端部に当接することで、吊り具１１を取付けるようになっている。そして、該吊り具１１には屋外で使用する箒、スコップ、屋外で使用する照明器具などの園芸用品等の屋外で使用する小物を吊り下げることができる。
【００２８】
また、上記棚板１０、吊り具１１は接続用レール２の長手方向の任意の位置に取付けることができ、また、必要でない場合には取り外すことができる。
【００２９】
また、上記図３、図４の実施形態においては、凹状部３の開口部の上縁部に設けた下向きの引掛け用突片４に棚板１０や吊り具１１の引掛け部１２に引っ掛けた例を示したが、凹状部３の開口部の下縁部に設けた上向きの引掛け用突片４に棚板１０や吊り具１１の引掛け部１２を引掛けるようにしたものでもよく、この場合は、図示を省略しているが、引掛け部１２としては上向きの引掛け用突片４に上方から引っ掛けることができるような形状をしている。また、引掛け部１２としては、凹状部３の開口部の上縁部及び下縁部の両方に設けた上下の引掛け用突片４の双方に棚板１０や吊り具１１の引掛け部１２を引っ掛けるような構造であってもよい。
【００３０】
ところで、前述のように、下の外壁材１の上端部の上嵌め込み部５が上方に向けて突出した凸となっていると共に、上の外壁材１の下端部の下嵌め込み部７が上記上嵌め込み部５に嵌め込み可能な下方に向けて開口した凹となる構成としたものにおいては、従来から一般に使用されている上端部の上嵌め込み部５が上方に向けて突出した凸となり且つ下端部の下嵌め込み部７が上嵌め込み部５に嵌め込み可能な下方に向けて開口した凹となった外壁材１をそのまま用いて、接続用レール２を新たに追加するのみで、簡単に上下の外壁材１同士を接続する部分に、棚１０や吊り具１１を引っ掛けて取付ける構成とすることができるものである。
【００３１】
また、このものにおいては、上下方向において多数の外壁材１を接続して外壁を構成するに当たり、上下に並設する多数の外壁材１のうち、任意の上下に隣合う外壁材１同士を接続用レール２を介して接続し、他の外壁材１同士は接続用レール２を介することなく、図５に示すように、直接上嵌め込み部５に下嵌め込み部７を嵌め込んで接続するという接続構造とすることが可能となる。したがって、多数の外壁材１を接続して構成する外壁の上下方向の任意の接続部分にのみ接続用レール２を設けることができ、外壁の任意の高さ位置において棚板１０や吊り具１１を引っ掛けることができ、また、外壁の上下方向の任意の接続位置に接続用レール２により建物の外壁に横溝状の立体的なアクセントを与えることができることになる。
【図面の簡単な説明】
【００３２】
【図１】本発明の一実施形態の断面図である。
【図２】同上の斜視図である。
【図３】同上の接続用レールに棚板を引っ掛けて取付けた状態を示す断面図である。
【図４】同上の接続用レールに吊り具を引っ掛けて取付けた状態を示す断面図である。
【図５】同上の接続用レールを用いることなく外壁材同士を上下に接続した状態の断面図である。
【符号の説明】
【００３３】
１  外壁材
２  接続用レール
３  凹状部
４  引掛け用突片
５  上嵌め込み部
６  レール側下嵌合部
７  下嵌め込み部
８  レール側上嵌合部
【図１】
2009052347.tif 000003
【図２】
2009052347.tif 000004
【図３】
2009052347.tif 000005
【図４】
2009052347.tif 000006
【図５】
2009052347.tif 000007